(57)【特許請求の範囲】
【請求項１】
スプーン本体（Ａ）と、底板部材（Ｂ）とを備え、スプーン本体（Ａ）は、両側面が平行する凹部（４）を備えた皿状部（２）と、皿状部（２）より延設した柄部（３）とからなり、底板部材（Ｂ）は、柄部（３）上をスライド可能に設けたスライド板（20）と、スライド板（20）の前端縁に第１ヒンジ（25）を介して後端縁を連結するとともに、先端縁を凹部前面（4a）上端縁部に回動可能に係止させ、且つ、前後方向中間部を横断する第２ヒンジ（26）を介して下方への屈折が可能に設けた底板（21）とからなり、底板（21）により凹部（４）の上端縁部を液密に閉塞するとともに、スライド板（20）の押し込みにより両側を凹部側面4bに摺動しつつ底板（21）が屈折してその上方に計量凹部（27）を画成する如く構成し、スライド板（20）を押し込んで第２ヒンジ（26）前方の底板（21）が凹部前面（4a）に当接した際の定量の計量凹部（27）による計量が可能に構成したことを特徴とする計量スプーン。
【請求項２】
前記第１ヒンジ（25）が、スライド板（20）先端縁より前方斜め上方に延設した第１可撓片（25a ）の先端縁と、底板（21）の後端縁より後方斜め上方に延設した第２可撓片（25b ）の先端縁とを一体に連結した形態をなす請求項１記載の計量スプーン。
【請求項３】
柄部（３）とスライド板（20）との少なくとも一方に易スライド用の窓孔を穿設した請求項１又は請求項２のいずれかに記載の計量スプーン。
【請求項４】
スライド板（20）に目盛り（28）を設けるとともに、柄部（３）よりスライド板（20）の両側をスライド可能に保持する係止突部（９）を設け、係止突部（９）に目盛り指示用の指示突起（11）を形成した請求項１乃至請求項３のいずれかに記載の計量スプーン。
【請求項５】
前記第２ヒンジ（26）が弾性を備えている請求項１乃至請求項４のいずれかに記載の計量スプーン。
【発明の詳細な説明】
【技術分野】
【０００１】
本発明は計量スプーンに関し、詳しくは、粘度の高い液体等の被計量物の取り出しが容易な計量スプーンに関する。
【背景技術】
【０００２】
洗剤等の所定量を計量するための計量カップ或いは計量スプーン等の計量用器具が種々提案されている（例えば、特許文献１参照）。                                            
【０００３】
特許文献１に記載された計量スプーンは、衣類用の粉末洗剤等を適量計量するスプーンであり、スプーン本体と、このスプーン本体にスライド自在に取付けられた仕切り材とから構成されている。スプーン本体は、粉末等を収納する収納部分と、溝を有する柄からなり、仕切材は、収納部を区画する仕切り板と、溝にスライド自在に嵌合する突起を有する板材料とからなる。この計量スプーンは、仕切り板をスライドさせて、所望の目盛りの位置に仕切り板が来たところで止め、粉末剤をすくい、これを洗濯機等に投入する。
【０００４】
また、別の例として、浅い計量カップ基体に昇降可能の計量壁体を高さ切り換え自在に装備させ、計量壁体乃至計量カップ基体の適所から把手を突出させた把手付き計量カップが提案されている（特許文献２参照）。
【特許文献１】実開平０１−１６０３２８号公報
【特許文献２】特開平０９−０４３０２６号公報
【発明の開示】
【発明が解決しようとする課題】
【０００５】
上記各特許文献１，２の計量スプーン或いは計量カップは粉末状の洗剤等を対象として提案されたものであるが、近年，洗濯用合成洗剤は粉末だけではなく、粘度の高い液体や，ゲル状やゼリー状のものが使用されている。それ等をスプーンで計量する場合、粘着性があるため計量液を排出する際に計量凹部に残液が付着して計量が極めて困難となる。その際、付着したものは指でとる等の対処方しかなく、手間がかかり、完全な付着液の掻き落としも困難で使い勝手が悪い。
【０００６】
本発明は上記した点に鑑みてなされたもので、粘度の高い液状の被計量物であっても、簡単に計量して取り出すことができ、その操作も簡単で、且つ構造も簡単な計量スプーンを提案する。
【課題を解決するための手段】
【０００７】
本発明の計量スプーンは、スプーン本体と、底板部材とで構成している。
【０００８】
スプーン本体は合成樹脂等により形成されたもので、皿状部と、柄部とを備えている。皿状部は凹部を備え、凹部は底板部材の底板が屈折する際の案内及び屈折した底板の収納部の役割と、底板とで洗剤等の粉末，液体を量り取るための計量凹部を形成する役割を果たす。凹部は両側面が平行し、底板の両側が両側面を摺動しつつ屈折することができ、その際底板上方に、底板と凹部両側面とで計量凹部を画成できる形態であれば種々採用できる。柄部は、底板部材のスライド板が凹部の上端開口面上をスライドできるように、凹部の上端開口面と略同一平面上に突設すると良い。
【０００９】
底板部材はスライド板と、底板とを備え、合成樹脂，或いはエラストマー等で形成される。スライド板はスプーン本体の柄部上に抜け出しを防止してスライド可能に装着している。
【００１０】
底板は、スライド板の前端縁に第１ヒンジを介して後端縁を連結するとともに、先端縁を凹部前面上端縁部に係止させている。また、前後方向中間部を横断する第２ヒンジを介して下方への屈折が可能に設けている。更に、凹部の上端縁部を液密に閉塞するとともに、スライド板を前方へスライドすることにより両側を凹部側面に摺動しつつ下方へ屈折してその上方に計量凹部を画成する如く構成している。第１ヒンジはスライド板と底板とを単純な薄肉部で回動可能に連結した形態のものであっても良いが、前後方向への変移が可能なヒンジを採用すると良い。具体的には前後方向の幅が多少ゆとりのある可撓片を介して連結すると良い。
【００１１】
第２ヒンジは一般的な弾力性のないものを採用できるが、スライド板を介しての押圧力が無くなると弾性復元力によりもとの状態に戻ろうとする弾性を備えたものを採用してもよく，肉厚等の調整により弾性を付与する。尚、第１ヒンジも弾性を備えたものを採用しても良い。
【００１２】
第１の手段として、以下の通り構成した。即ち、スプーン本体Ａと、底板部材Ｂとを備え、スプーン本体Ａは、両側面が平行する凹部４を備えた皿状部２と、皿状部２より延設した柄部３とからなり、底板部材Ｂは、柄部３上をスライド可能に設けたスライド板20と、スライド板20の前端縁に第１ヒンジ25を介して後端縁を連結するとともに、先端縁を凹部前面4a上端縁部に回動可能に係止させ、且つ、前後方向中間部を横断する第２ヒンジ26を介して下方への屈折が可能に設けた底板21とからなり、底板21により凹部４の上端縁部を液密に閉塞するとともに、スライド板20の押し込みにより両側を凹部側面4bに摺動しつつ底板21が屈折してその上方に計量凹部27を画成する如く構成し、スライド板20を押し込んで第２ヒンジ26前方の底板21が凹部前面4aに当接した際の定量の計量凹部27による計量が可能に構成した。
【００１３】
第２の手段として、以下の通り構成した。即ち、前記第１の手段に於いて、前記第１ヒンジ25が、スライド板20先端縁より前方斜め上方に延設した第１可撓片25a の先端縁と、底板21の後端縁より後方斜め上方に延設した第２可撓片25b の先端縁とを一体に連結した形態をなす。
【００１４】
第３の手段として、以下の通り構成した。即ち、前記第１の手段又は第２の手段のいずれかの手段に於いて、柄部３とスライド板20との少なくとも一方に易スライド用の窓孔を穿設した。
【００１５】
第４の手段として、以下の通り構成した。即ち、前記第１の手段乃至第３の手段のいずれかの手段に於いて、スライド板20に目盛り28を設けるとともに、柄部３よりスライド板20の両側をスライド可能に保持する係止突部９を設け、係止突部９に目盛り指示用の指示突起11を形成した。
【００１６】
第５の手段として、以下の通り構成した。即ち、前記第１の手段乃至第４の手段のいずれかの手段に於いて、前記第２ヒンジ26が弾性を備えている。
【発明の効果】
【００１７】
本発明の計量スプーンは、計量対象物が高粘度の液であっても、簡単に計量でき、取り扱いも極めて簡単である。特に、スライド板20の押し込みにより両側を凹部側面4bに摺動しつつ底板21が下方へ屈折してその上方に計量凹部27を画成する如く構成したので、計量した液が計量凹部27内に付着残存することを防止でき、効率の良い液の計量が可能となる。
【００１８】
前記第１ヒンジ25が、スライド板20先端縁より前方斜め上方に延設した第１可撓片25a の先端縁と、底板21の後端縁より後方斜め上方に延設した第２可撓片25b の先端縁とを一体に連結した形態をなす場合には、第１ヒンジ25に於けるスライド板20と底板21との屈折に自由度が生じてより円滑な底板21の屈折が可能となる。
【００１９】
柄部３とスライド板20との少なくとも一方に易スライド用の窓孔を穿設した場合には、底板部材Ｂのスライドをより円滑に行える。
【００２０】
スライド板20に目盛り28を設けるとともに、柄部３よりスライド板20の両側をスライド可能に保持する係止突部９を設け、係止突部９に目盛り指示用の指示突起11を形成した場合には、計量を目盛り28に従って細分化することができ、多種類の計量を行える。
【００２１】
前記第２ヒンジ26が弾性を備えている場合には、スライド板20の押圧を解除すれば第２ヒンジ26の弾性復元力で底板21が元の状態に戻ろうとして自然に計量液を押し出すことができる。
【発明を実施するための最良の形態】
【００２２】
以下、本発明の実施例の形態を図面を参照して説明する。
【００２３】
図１乃至図５は計量スプーンの一例を示し、図中１は計量スプーンを示す。計量スプーン１は、スプーン本体Ａと、底板部材Ｂとを備えている。
【００２４】
スプーン本体Ａは、皿状部２と、柄部３とを備え、皿状部２は凹部４を備えている。凹部４は図５に示す如く前面4aが上方へ行くに従って漸次前方へ広がる傾斜面をなし、両側面4b，4bはそれぞれ平行し、底面4cは水平面をなし、後面4dは上方に行くに従って後方へ広がる傾斜面をなしている。前面4a上端縁には底板部材Ｂの底板の先端縁を係止するための係止突条５を突設している。柄部３は、皿状部２の後部上端部より後方へ一体に延設しており、底壁部６の周縁部の両側縁部及び後縁部に周壁部７を立設してその内部に底板部材Ｂのスライド板を収納するための収納凹部８を形成している。周壁部７の前部上面より内方へ一対の係止突部９を突設して底板部材Ｂの抜け出しを防止する如く構成している。また、底壁部６の後部には四角形状をなす、易スライド用の窓孔10を穿設している。
【００２５】
底板部材Ｂは、スライド板20と、底板21とを備えている。スライド板20は、各係止突部９により上方への抜け出しを防止して収納凹部８内にスライド可能に収納している。スライド板20の後部には隆起部22を設け、隆起部22の上面に滑り止め用の突部23を突設している。また、隆起部22の前方に易スライド用の窓孔24を穿設している。この易スライド用の窓孔24はスプーン本体Ａに底板部材Ｂを装着した際に、前記スプーン本体Ａの易スライド用の窓孔10と重複する位置に同じ形で形成されている。
【００２６】
底板21は、スライド板20の前端縁に第１ヒンジ25を介して後端縁を連結するとともに、先端縁を凹部４の係止突条５下面に当接係止させ、また、前後方向中間部を横断する弾性を備えた第２ヒンジ26を介して下方への屈折が可能に設けている。更に、凹部４の上端縁部を液密に閉塞するとともに、スライド板20の押し込みにより両側を凹部側面4bに摺動しつつ屈折してその上方に、図２又は図３に示す如き計量凹部27を画成する如く構成している。
【００２７】
第１ヒンジ25はスライド板20の前縁上端縁より前方斜め上方に伸びる第１可撓片25a と、底板21の後端縁より後方斜め上方に伸びる第２可撓片25b との頂部相互を連結して構成しており、第１可撓片25a と第２可撓片25b とが頂部を中心に弾性的に変形するとともに、各可撓片自身もそれぞれ若干の弾性変形が可能に構成しており、全体として、スライド板20に対して底板21後部が若干の前後方向の遊びをもって回動する如く構成している。
【００２８】
また、第２ヒンジ26は、底板21の底面所定位置に断面三角形状の線状凹部を形成することによりその上部の薄肉部分として構成している。
【００２９】
また、スライド板20の表面に目盛り28を設けており、係止突部９の内面に目盛り指示部としての指示突起11を突設している。目盛り28はml単位で数字と記号と横線により表示している。スライド板20が一番手前にある状態で、指示突起11が最小量である０mlを示す如く構成している。また、液の計量を行う場合には、予めスライド板20を移動させて指示突起11を目的の目盛り28位置にあわせ、しかる後計量する如く構成している。
【００３０】
上記の如く構成した計量スプーン１は、図５(a) に示す状態からスライド板20を前方へスライドさせて底板21を屈折させるが、その際、図５(b) に示す如く、第２ヒンジ26は下方へ屈折し始める。尚もスライド板20を前方へスライドさせて目的の目盛り28が指示突起11の位置まで到達する位置、この場合には５mlの位置、までスライドさせ、しかる後、図５(c) に示す如く、高粘度の液29を掬い取る。次にスライド板20の押圧を解除して例えば、後方へひき戻せば第２ヒンジ26の弾性復元力とともに底板21が上昇し、計量した液29を吐出することができる。
【図面の簡単な説明】
【００３１】
【図１】計量スプーンを示す斜視図である。（実施例１）
【図２】３mlの計量ができる如く底板を変形させた状態の斜視図である。（実施例１）
【図３】５mlの計量ができる如く底板を変形させた状態の斜視図である。（実施例１）
【図４】計量スプーンを示す平面図である。（実施例１）
【図５】計量スプーンの使用を説明する説明図である。（実施例１）
【符号の説明】
【００３２】
１…計量スプーン
Ａ…スプーン本体
２…皿状部，３…柄部，４…凹部，4a…凹部前面，4b…凹部側面，4c…凹部底面，      4d…凹部後面，５…係止突条，６…底壁部，７…周壁部，８…収納凹部，
９…係止突部，10…易スライド用の窓孔，11…指示突起
Ｂ…底板部材
20…スライド板，21…底板，22…隆起部，23…滑り止め用の突部，
24…易スライド用の窓孔，25…第１ヒンジ，25a …第１可撓片，
25b …第２可撓片，26…第２ヒンジ，27…計量凹部，28…目盛り，29…液
【図１】
0004878010.tif 000002
【図２】
0004878010.tif 000003
【図３】
0004878010.tif 000004
【図４】
0004878010.tif 000005
【図５】
0004878010.tif 000006